【手続補正書】
【提出日】平成19年6月14日(2007.6.14)
【手続補正１】
【補正対象書類名】特許請求の範囲
【補正対象項目名】全文
【補正方法】変更
【補正の内容】
【特許請求の範囲】
【請求項１】
磁気コアを有する磁気回路要素であって、前記磁気コアは中心に位置決めされているコア支持部材の周囲に配置され、前記コア支持部材は少なくとも１つのコア支持部材壁を有し、前記磁気回路要素は、
コア支持体冷却材入口と、
コア支持体冷却材出口と、
前記コア支持部材壁内に設けられている複数の相互接続された冷却材流路と、
を含み、
前記複数の冷却材流路は、冷却材を、前記コア支持体冷却材入口から前記コア支持体冷却材出口までの前記コア支持部材の少なくとも実質的な部分内の冷却材流路に沿って１つの冷却材流路から前記コア支持部材壁内の次の流路まで通過させるように相互接続され、配列されている、
ことを特徴とする磁気回路要素。
【請求項２】
前記各コア支持体冷却材流路は、それぞれのコア支持体冷却材流路の各端において流体流通プレナムと流体的に通じており、それぞれの流体流通プレナムは、前記コア支持体冷却材入口から前記コア支持体冷却材出口までの前記冷却材流路に沿うそれぞれのコア支持体冷却材流路の少なくとも第１の流路のための出口プレナムを形成し、それぞれのコア支持体冷却材流路の少なくとも第２の流路のための入口プレナムを形成していることを特徴とする請求項１に記載の装置。
【請求項３】
前記それぞれの冷却材流路の少なくとも第１の流路は単一のコア支持体冷却材流路であり、前記それぞれの冷却材流路の少なくとも第２の流路は単一のコア支持体冷却材流路であることを特徴とする請求項２に記載の装置。
【請求項４】
前記それぞれの冷却材流路の少なくとも第１の流路は複数のコア支持体冷却材流路であり、前記それぞれのコア支持体冷却材流路の少なくとも第２の流路は単一のコア支持体冷却材流路であることを特徴とする請求項２に記載の装置。
【請求項５】
前記コア支持部材は前記コア支持部材から伸びるフランジを更に含み、前記フランジは内側寸法及び外側寸法を有し、
前記フランジは、前記コア支持体冷却材入口と前記コア支持体冷却材出口との間で、前記内側寸法に向かい前記外側寸法から遠去かり、次いで前記外側寸法に向かい前記内側寸法から遠去かるように交互に伸びる複数の相互接続されたフランジ冷却材流路を更に含むことを特徴とする請求項１に記載の装置。
【請求項６】
前記磁気コア及び前記コア支持部材を収容するハウジングを更に含み、前記ハウジングは、
ハウジング壁と、
ハウジング冷却材入口と、
ハウジング冷却材出口と、
前記ハウジング壁内に設けられている複数の相互接続されたハウジング冷却材流路と、
を含み、
前記ハウジング冷却材流路は、冷却材を、前記ハウジング冷却材入口から前記ハウジング冷却材出口までの前記ハウジング壁の少なくとも実質的な部分内の冷却材流路に沿って１つの冷却材流路から前記ハウジング壁内の次の流路まで通過させるように相互接続され、配列されている、
ことを特徴とする請求項１に記載の装置。
【請求項７】
各々が電流流路の少なくとも一部分を形成している前記ハウジング及び前記コア支持部材はそれぞれ、前記磁気コアの周囲の２巻回のそれぞれの一方の少なくとも一部分を形成していることを特徴とする請求項６に記載の装置。
【請求項８】
磁気コアを有する磁気回路要素を冷却する方法であって、前記磁気コアは中心に位置決めされているコア支持部材の周囲に配置され、前記コア支持部材は少なくとも１つのコア支持部材壁を有し、前記方法は
コア支持体冷却材入口を準備するステップと、
コア支持体冷却材出口を準備するステップと、
前記コア支持部材壁内に設けられている複数の相互接続されたコア支持体冷却材流路を使用し、冷却材を、前記コア支持体冷却材入口から前記コア支持体冷却材出口までの前記コア支持部材の少なくとも実質的な部分内の冷却材流路に沿って前記複数の相互接続されたコア支持体冷却材流路を通過させて前記コア支持部材を冷却するステップと、
を含むことを特徴とする磁気回路要素を冷却する方法。
【請求項９】
前記各コア支持体冷却材流路を前記各コア支持体冷却材流路の各端において流体流通プレナムと流体的に通じるように配置するステップを更に含み、前記各流体流通プレナムは前記コア支持体冷却材入口から前記コア支持体冷却材出口までの前記冷却材流路に沿うそれぞれのコア支持体冷却材流路の少なくとも第１の流路のための出口プレナムを形成し、それぞれの冷却材流路の少なくとも第２の流路のための入口プレナムを形成していることを特徴とする請求項８に記載の方法。
【請求項１０】
前記それぞれのコア支持体冷却材流路の少なくとも第１の流路は単一のコア支持体冷却材流路であり、前記それぞれのコア支持体冷却材流路の少なくとも第２の流路は単一のコア支持体冷却材流路であることを特徴とする請求項９に記載の方法。
【請求項１１】
前記コア支持部材に、前記コア支持部材から伸びるフランジを設けるステップ、
を更に含み、前記フランジは内側寸法及び外側寸法を有し、
前記コア支持体冷却材入口と前記コア支持体冷却材出口との間で、前記内側寸法に向かい前記外側寸法から遠去かり、次いで前記外側寸法に向かい前記内側寸法から遠去かるように交互に伸びる複数の相互接続されたフランジ冷却材流路を用いて前記フランジを冷却するステップ、
を更に含むことを特徴とする請求項８に記載の方法。
【請求項１２】
前記磁気コア及び前記コア支持部材を収容するハウジングを準備するステップを更に含み、前記ハウジングは、
ハウジング壁と、
ハウジング冷却材入口と、
ハウジング冷却材出口と、
を含み、
前記ハウジング壁内に設けられている複数の相互接続されたハウジング冷却材流路を使用し、冷却材を、前記ハウジング冷却材入口から前記ハウジング冷却材出口までの前記ハウジング壁の少なくとも実質的な部分内の冷却材流路に沿って１つの冷却材流路から前記ハウジング壁内の次の流路まで通過させて前記ハウジングを冷却するステップ、
を更に含むことを特徴とする請求項８に記載の方法。
【請求項１３】
各々が電流流路の少なくとも一部分を形成している前記ハウジング及び前記コア支持部材はそれぞれ、前記磁気コアの周囲の２巻回のそれぞれの一方の少なくとも一部分を形成していることを特徴とする請求項１２に記載の方法。
【請求項１４】
前記磁気回路要素の動作の少なくとも一部分中に高電圧に電気的に接続されるようになっている前記磁気回路要素の少なくとも１つの高電圧物理的構成要素と、
前記磁気回路要素の動作の少なくとも一部分中に共通電圧または接地電圧に電気的に接続されるようになっている少なくとも１つの共通電圧物理的構成要素と、
を更に含み、
前記少なくとも１つの高電圧構成要素及び前記少なくとも１つの共通電圧構成要素は、前記高電圧構成要素及び前記共通電圧構成要素の各々の表面領域の少なくとも一部分が互いに他方に対して電気的絶縁を必要とするように互いに他方に対して位置決めされ、
前記少なくとも１つの高電圧構成要素及び前記共通電圧構成要素の各々は、各々の表面領域のそれぞれの部分が高い固有抵抗及び高い熱伝導性の材料の薄膜でコーティングされている、
ことを特徴とする請求項１に記載の装置。
【請求項１５】
前記薄膜は、十分に高い電気的固有抵抗及び十分に高い熱伝導度を有する分子結合された有機及び無機化合物のグループから選択された材料からなることを特徴とする請求項１４に記載の装置。
【請求項１６】
非電着性金属化合物の薄膜でコーティングされた外面を有し、前記磁気回路要素の電気的構成要素を電気的に相互接続しているバスワーク要素を更に含むことを特徴とする請求項１に記載の装置。
【請求項１７】
前記非電着性金属化合物は、電気めっきによって堆積されることを特徴とする請求項１６に記載の装置。
【請求項１８】
前記薄膜は、酸化アルミニウム、酸窒化アルミニウム、窒化アルミニウム、サファイア、ダイヤモンド、ダイヤモンド状炭素（ＤＬＣ）、またはパリレンからなることを特徴とする請求項１５に記載の装置。